(57)【要約】      （修正有）【課題】有用信号源の方向を特定する方法を提供する。【解決手段】第１の入力トランスデューサ１６及び第２の入力トランスデューサ１８を備える音響システム４において、有用信号源１つの方向を特定する方法であって、第１の入力トランスデューサ１６は、周囲からのサウンド信号から第１の入力信号２０を生成し、第２の入力トランスデューサ１８は、サウンド信号から第２の入力信号２２を生成し、第１の入力信号２０及び第２の入力信号２２について、それぞれが固定の中央角度（αｊ）及び角度拡張分（Δ）を有する複数の角度依存方向特性が形成され、有用信号源からの有用信号の存在について、複数の角度依存方向特性それぞれに対する信号成分が調べられ、有用信号源の存在が確認された所定の角度依存方向特性に対応する中央角度（αｊ）が、有用信号源の方向として割り当てられる。【選択図】図２
2018098797.tif 000002
【特許請求の範囲】
【請求項１】
少なくとも１つの第１の入力トランスデューサ（１６）及び第２の入力トランスデューサ（１８）を備える音響システム（４）において有用信号源（６、８）の少なくとも１つの方向を特定する方法（１０）であって、
前記第１の入力トランスデューサ（１６）は、周囲からのサウンド信号から第１の入力信号（２０）を生成し、前記第２の入力トランスデューサ（１８）は、前記サウンド信号から第２の入力信号（２２）を生成し、
前記第１の入力信号（２０）及び前記第２の入力信号（２２）について、それぞれが固定の中央角度（αｊ）及び所与の角度拡張分（Δ）を有する複数の角度依存方向特性（３４）が形成され、
有用信号源（６、８）からの有用信号の存在について、複数の前記角度依存方向特性（３４）それぞれに対する信号成分が調べられ、
前記有用信号源（６、８）の存在が確認された所定の角度依存方向特性（３４）に対応する前記中央角度（αｊ）が、有用信号源（６、８）の方向として割り当てられる、方法（１０）。
【請求項２】
中央角度（αｊ）に関して隣接する２つの前記角度依存方向特性（３４）間の角度距離は、前記角度拡張分（Δ）の半分に対応する、請求項１に記載の方法（１０）。
【請求項３】
複数の前記角度依存方向特性（３４）のそれぞれについて、前記角度依存方向特性（３４）の前記中央角度（αｊ）及び前記角度拡張分（Δ）は、少なくとも２つの条件（Ｂ１、Ｂ２）により規定される、請求項１又は２に記載の方法（１０）。
【請求項４】
複数の前記角度依存方向特性（３４）のそれぞれは、前記感度特性の前記中央角度（αｊ）及び前記角度拡張分（Δ）をそれぞれ定めるような少なくとも２つの条件（Ｂ１、Ｂ２）により特定されるノッチ形感度特性（２４）によりそれぞれ規定される、請求項３に記載の方法（１０）。
【請求項５】
音響特性変数（２８）が、前記信号成分からの複数の前記角度依存方向特性（３４）のそれぞれで形成され、
前記角度依存方向特性（３４）の前記音響特性変数（２８）は、前記角度依存方向特性（３４）の少なくとも１つでの有用信号の特定に使用される、請求項１〜４のいずれか一項に記載の方法（１０）。
【請求項６】
前記角度依存方向特性（３４）の前記音響特性変数は、前記第１の入力信号（２０）及び／又は前記第２の入力信号（２２）に対応する特性変数（３０）の合計値と比較され、その結果として、前記角度依存方向特性（３４）の相対特性変数（３２）が形成され、
前記角度依存方向特性（３４）の少なくとも１つでの有用信号の存在は、前記角度依存方向特性（３４）の前記相対特性変数（３２）から特定される、請求項５に記載の方法（１０）。
【請求項７】
前記相対的特性変数（３２）は、互いに及び／又は規定の限度値とそれぞれ比較され、比較から、前記角度依存方向特性（３４）のうちの少なくとも１つにおける有用信号の存在が特定される、請求項６に記載の方法（１０）。
【請求項８】
前記使用される音響特性変数（２８）は、時間にわたる信号レベルの各平均値であり、
角度依存方向特性（３４）における有用信号の存在は、前記角度依存方向特性（３４）において前記信号レベルの平均値が時間の経過に伴って受ける減衰から特定され、各感度特性（２４）の結果として、時間にわたる総合レベルの平均値を使用して正規化される、請求項５〜７のいずれか一項に記載の方法（１０）。
【請求項９】
更なる入力トランスデューサ（１９）が、前記サウンド信号から更なる入力信号（２３）を生成し、
前記角度依存方向特性（３４）は、前記第１の入力信号（２０）、前記第２の入力信号（２２）、及び前記更なる入力信号（２３）に基づいて形成される、請求項１〜８のいずれか一項に記載の方法（１０）。
【請求項１０】
複数の前記角度依存方向特性（３４）は、それぞれが前記感度特性（２４）の少なくとも前記中央角度（αｊ）及び前記角度拡張分（Δ）を規定するような、入力信号（２０、２２）の数と同じである複数の条件（Ｂ１、Ｂ２）によりそれぞれ提供される、請求項９に記載の方法（１０）。
【請求項１１】
周囲からのサウンド信号から第１の入力信号（２０）を生成する少なくとも１つの第１の入力トランスデューサ（１６）と、前記サウンド信号から第２の入力信号（２２）を生成する第２の入力トランスデューサ（１８）と、請求項１〜１０のいずれか一項に記載の方法（１０）を実行するようにセットアップされる信号処理ユニットとを備える音響システム（４）。
【請求項１２】
補聴器として構成される請求項１１に記載の音響システム（４）。
【発明の詳細な説明】
【技術分野】
【０００１】
本発明は、少なくとも１つの第１の入力トランスデューサ及び第２の入力トランスデューサを備える音響システムにおいて、有用信号源の少なくとも１つの方向を特定する方法であって、第１の入力トランスデューサは、周囲からのサウンド信号から第１の入力信号を生成し、第２の入力トランスデューサは、サウンド信号から第２の入力信号を生成する、方法に関する。
【背景技術】
【０００２】
補聴器の動作では、各補聴状況に基づいて、ユーザ固有の増幅、より一般的には周囲音から得られる補聴器の入力信号へのトーンマッチングに使用されるアルゴリズムを選択する必要があることが多い。この場合、個々の補聴状況は、干渉音又は一般に有用信号源のノイズが重なった周波数反復パターンとして現れ、パターンは特に、発生するノイズのタイプ、信号対雑音比、有用信号源の周波数応答、並びに記載された変数の時間変動及び平均値に基づいて標準化される。
【０００３】
したがって、これは、補聴状況としての標準化という状況の中で統計的に予期することができる特性により、ノイズ低減を達成するため、識別された補聴状況に基づいて、効率的且つリソース節約的に入力信号の信号対雑音比を改善することが特に可能である。
【０００４】
しかし、明確に言えば、特に、音質を改善する複雑な現実の音響周囲環境−例えば、複数のノイズ源がある場合には、更に高い総合ノイズレベルになる−では、有用信号源、例えば、会話での話者の位置を直接突き止める必要がある。
【０００５】
現在、ユーザの両耳に装着された両耳補聴器の各補聴器へのサウンド信号の異なる伝搬時間から生じる遅延時間差の測定により、両耳補聴器において有用信号源を突き止めることが既知の実施である。しかし、そのような測定では、第１に高レベルの計算複雑性、第２に、評価を通しての一方の補聴器から他方の補聴器への信号成分の可能な限り高速であるが、それにもかかわらず詳細な伝送が必要とされる。記載された２つの要件は、補聴器の消費電力に悪影響を及ぼす。
【発明の概要】
【発明が解決しようとする課題】
【０００６】
したがって、本発明は、可能な限り最低の計算レベル及びシステム複雑性で可能な限り正確に有用信号源を見つける方法を音響システムに対して指定するという目的に基づく。
【課題を解決するための手段】
【０００７】
記載された目的は、少なくとも１つの第１の入力トランスデューサ及び第２の入力トランスデューサを備える音響システムにおいて、有用信号源の少なくとも１つの方向を特定する方法であって、第１の入力トランスデューサは、周囲からのサウンド信号から第１の入力信号を生成し、第２の入力トランスデューサは、サウンド信号から第２の入力信号を生成し、第１の入力信号及び第２の入力信号について、それぞれが所与の中央角度及び同一の角度拡張分を有する複数の角度依存方向特性が形成され、有用信号源からの有用信号の存在について、複数の方向特性それぞれに対する信号成分が調べられ、有用信号源の存在が確認された所定の方向特性に対応する中央角度が、有用信号源の方向として割り当てられる、方法により、本発明により達成される。有利であり、幾つかの場合ではそれら自体が発明的な改良は、サブクレーム及び以下の説明の趣旨である。
【０００８】
これに関連して、入力トランスデューサは一般に、サウンド信号から電気信号を生成する任意の音響電気トランスデューサ、すなわち、特にマイクロホンも包含する。
【０００９】
好ましくは、個々の方向特性は、各中央角度に対応する角度方向からのテスト信号に対する最小感度及び最大感度をそれぞれ有する。この場合での方向特性は、特に、各中央角度の方向で最大感度を有し、中央角度からの角度距離が増大する都度、感度が低減する方向性ローブを含む。中央角度からの角度距離の増大に伴う感度低減の程度は、この場合、方向特性の角度拡張分の尺度として解釈することができる。代替的には、個々の方向特性はそれぞれ、各中央角度での所与のテスト信号への最小感度を有することもでき、テスト信号への感度は、中央角度からの角度距離が増大するにつれて増大する。その場合、中央角度からの角度距離の増大に伴う感度増大の程度は、角度拡張分の尺度として使用することができる。好ましくは、２つの隣接する方向特性の中央角度は、互いから一定の角度距離にある。これは、一種の角度範囲スキャンが個々の方向特性により実行され、中央角度が、ある方向特性から隣接する方向特性に遷移する場合、各都度、一定量だけ変更されることを意味する。
【００１０】
有用信号の存在を含む、有用信号源からの信号成分の調査は、特に信号レベル又は信号レベルから導出される１つ若しくは複数の変数に基づいて、個々の方向特性で行うことができる。
【００１１】
ここで、他の有用信号源が存在する場合、例えば、新しい更なる有用信号源が有用信号を有する既に存在する有用信号源に追加される場合、当該更なる有用信号源に対応する方向特性と特定される有用信号源の方向としての方向特性の中央角度を割り当てることは、有用信号源を見つけられるようにするという利点を有し、前記更なる有用信号源は、第１の既に存在する有用信号源とは明らかに物理的に異なる。個々の有用信号源の検出又は位置は、この場合、あらゆる更なる有用信号源が少なくともノイズとして信号対雑音比を悪化させ、したがって、ロバスト性を損なうと共に、位置特定の角度分解能も損なう恐れがある位相測定による位置特定の場合に生じ得るように、他の有用信号源の存在により損なわれることがない。その場合、特に、位置特定の永久的な適用又は短い時間間隔での繰り返される適用を使用して、有用信号源の位置特定の時間分解能を達成することが可能になる。したがって、これにより、可動性の有用信号源の物理的な追跡も可能になる。本方法の結果として特定される有用信号源の方向は特に、音響システムの入力変換中、有用信号源に方向ローブを向け、方向ローブを使用して、背景ノイズに対する有用信号源の信号対雑音比を改善するのに使用することができる。
【００１２】
好ましくは、中央角度に関して隣接する２つの方向特性間の角度距離は、角度拡張分の半分に対応する。特に、この場合の２つの隣接方向特性は同じ角度拡張分を有する。個々の方向特性が、中央角度の方向において感度が最大である方向ローブにより形成され、中央角度からの角度距離が増大するにつれて低減する場合、これは、テスト信号への感度が、中央角度における最大値から特定の係数だけ、例えば、６ｄＢ又は１０ｄＢ、落ちた角度を１つ１つの方向特性で指定することができることを特に意味する。そのような角度はここで、角度拡張分の半分に対応する方向特性に割り当てられ、したがって、隣接する方向特性の中央角度は、角度拡張分の半分の角度距離において選ばれる。中央角度において最小を有する感度のノッチ形減衰が、各場合で個々の方向特性として選ばれる場合、同様の状況を適用することができ、中央角度での最大値に対する感度の減衰の代わりに、中央角度での最小値に対する感度の比率が、角度拡張分の定義に使用される。これにより、個々の方向特性により大方完全なカバレッジを所望のより広い角度範囲で得ることができ、一方、各場合での次の中央角度までの個々の方向特性での重複は、有用信号源を常に方向特性のうちの少なくとも１つに明確に割り当てることができることを意味し、重複により、２つの隣接する中央角度間の角度位置も分解することができる。
【００１３】
有利なことに、個々の方向特性のそれぞれについて、方向特性の中央角度及び角度拡張分は、少なくとも２つの条件により特定される。特に、方向特性は、条件に基づく「線形条件付き最小分散」法を使用してそれぞれ形成することができる。これにより、例えば、特定の角度方向での感度の相対減衰の形態で条件を得ることができるとともに、各方向特性をそこから直接形成することができる。
【００１４】
個々の方向特性が、それぞれが感度特性の中央角度及び角度拡張分を規定するような少なくとも２つの条件により特定されるノッチ形感度特性によりそれぞれ規定される場合、有利なことが判明した。この場合、ノッチ形感度特性は、中央角度において、規定量のテスト信号に対する感度の最大減衰を有し、中央角度からの角度距離が増大するにつれて感度が増大する方向特性を意味するものと理解されることが意図される。その場合、中央角度からの角度距離に基づく感度のこの増大の程度は、角度拡張分を定義する。有用信号源が、そのような方向特性の中央角度の方向に存在するか、又は中央角度の直近の角度分解能尺度内、すなわち、感度特性の「ノッチ」内に存在する場合、有用信号の信号成分は、実質的に方向特性により減衰し、一方、前記方向特性の中央角度の周囲の角度拡張分外に存在する他の有用信号源の信号成分は、大方維持される。ここで、これを使用して、対応する方向特性の領域内の有用信号源の存在を特定することができる。
【００１５】
便宜上、信号成分からの個々の方向特性のそれぞれに音響特性変数が形成され、方向特性の音響特性変数を使用して、方向特性のうちの少なくとも１つでの有用信号を特定する。この場合に使用される音響特性変数は、特に、適する時間窓にわたる最大信号レベル又は時間窓にわたる平均信号レベルであることができ、また、特定の周波数帯内の特に１つのみの信号成分を音響特性変数の形成に使用することができる。
【００１６】
好ましくは、この場合、方向特性の音響特性変数は、第１の入力信号及び／又は第２の入力信号の対応する特性変数の合計値と比較され、その結果、方向特性の相対特性変数が形成され、ここで、方向特性のうちの少なくとも１つでの有用信号の存在は、方向特性の相対特性変数から特定される。これは、音響特性変数、例えば、時間にわたり平均された信号レベルがまず、個々の方向特性のそれぞれで形成され、続けて、各方向特性の音響特性変数が、第１の入力信号及び／又は第２の入力信号から導出される適切な特性変数を使用して正規化されることを意味する。次に、正規化は、各方向特性について、方向特性での有用信号の存在の尺度として最終的に使用される相対特性変数を形成する。正規化に使用される特性変数は、第１の入力信号、第２の入力信号、又は例えば、第１の入力信号及び第２の入力信号の合計レベルの参照レベルであることができる。正規化により達成することができる効果は、各サウンドレベル又は個々の有用信号源の数が変化し得る補聴状況において、その結果生じる全体レベルでの変化が有用信号源の位置特定の分解能に影響しないことである。
【００１７】
好ましくは、この場合、相対特性変数は、互い及び／又は規定の限度値とそれぞれ比較され、方向特性のうちの少なくとも１つでの有用信号の存在がそこから特定される。互いとの相対特性変数の比較は、対応する方向特性での有用信号の存在を、方向特性の性質に応じて、相対特性変数の極値（最大又は最小）から直接推測することができるという効果に対して有利であることが判明した。しかし、複数の有用信号源を見つけるには、相対特性変数を規定の限度値と比較することも有利であり得、限度値を上回るか、又は下回る場合、有用信号源の存在を推測することができる。
【００１８】
使用される特性変数が時間にわたる信号レベルの各平均値であり、方向特性での有用信号の存在が、方向特性での時間にわたる信号レベルの平均値の減衰経験から特定され、各感度特性の結果として、時間にわたる合計レベルの平均値を使用して正規化される場合、有利なことが判明した。平均化の時間窓は、予期される有用信号源の性質に特に依存することができる。例えば、有用信号源のうちの少なくとも１つが対話者である場合、時間窓は、好ましくは、特定の周波数帯、例えば、フォーマット周波数が十分に高度まで励起するように選ぶことができる。
【００１９】
有利な改良では、更なる入力トランスデューサが、サウンド信号から更なる入力信号を生成し、ここで、方向特性は、第１の入力信号、第２の入力信号、及び更なる入力信号に基づいて形成される。好ましくは、更なる入力トランスデューサは、この場合、第１の入力トランスデューサ及び第２の入力トランスデューサとは物理的に別個である。更なる入力信号の追加は、サウンド信号について利用可能な全体の位相情報を増大させ、それにより、方向特性を使用して、より高い角度分解能を達成することができる。
【００２０】
個々の方向特性が、入力信号の数と同じである複数の条件によりそれぞれ提供され、それにより、複数の条件がそれぞれ、少なくとも中央角度及び角度拡張分を規定する場合、特に有利なことが判明した。これは、例えば、４つの物理的に別個の入力トランスデューサからの４つの入力信号の場合、個々の方向特性がそれぞれ、４つまでの条件により既定可能なことを意味する。これにより、特に狭い角度拡張分、ひいては特に高い角度分解能を得ることが可能になる。
【００２１】
本発明は、周囲からのサウンド信号から第１の入力信号を生成する少なくとも１つの第１の入力トランスデューサと、第２の入力トランスデューサ、サウンド信号から第２の入力信号を生成する第２の入力トランスデューサと、上述した方法を実行するようにセットアップされる信号処理ユニットとを備える音響システムを更に記載する。特に、本音響システムは補聴システムとして構成される。本方法について記載された利点及びそれらの発展は、この場合、変更すべきところは変更して音響システムに移すことができる。
【００２２】
本発明の例示的な実施形態について、図面を参照して以下に更に詳細に説明する。
【図面の簡単な説明】
【００２３】
【図１】ユーザの対話者の人数が変わる両耳補聴器の前記ユーザの補聴状況の平面図を示す。
【図２】有用信号源の方向を特定する方法のシーケンスのブロック図を示す。
【図３】所与の中央角度及び所与の角度拡張分での図１に示される補聴器の方向特性の平面図を示す。
【図４】時間軸にわたる図１に示されるような補聴状況で話者を見つける相対特性変数のプロファイルを示す。
【発明を実施するための形態】
【００２４】
相互に対応する部分及び変数はそれぞれ、全ての図において同じ参照符号を用いて提供されている。
【００２５】
図１は、補聴状況１の平面図を概略的に示す。図１の左側の図では、本事例では両耳補聴器として構成される音響システム４のユーザ２は、第１の対話者６と会話しており、第１の対話者６は、ユーザ２の視線に対して前に位置し、すなわち、ユーザ２に対して角度０度のところに立っている。この補聴状況１では、両耳補聴器は、分解能選択肢の一環として、対話者６の位置に配置されている。会話のしばらく後、ここで第２の対話者８が加わり、それにより、新しい補聴状況１’になる。第２の対話者８は、ユーザ２の視線に対して概ね−４５度の角度に位置する。ここで、例えば、元の信号、すなわち、第１の対話者６からの信号をより良好に増幅するために、第１の対話者６に向けられた方向特性が両耳補聴器において形成される場合、第２の対話者８の会話の成分は、そのような方向特性により拒絶されるか、又は十分に捕捉されない。したがって、ここで、変化した補聴状況１’において背景ノイズの方向依存拒絶を実行できるようにするとともに、第１の対話者６の会話に対する第２の対話者８による会話への寄与を実質的に拒絶できるようにするために、可能な限り正確に第２の対話者８の位置を特定することがかなり有利である。
【００２６】
図２は、音響システム４において有用信号源の方向を特定する方法１０のシーケンスのブロック図を示す。本事例では、有用信号源は、図１の２つの補聴状況１、１’のうちの一方で第１の対話者６又は第２の対話者８により提供される。音響システム４は、本事例での両耳補聴器により形成される。両耳補聴器は、第１のローカルユニット１２及び第２のローカルユニット１４を備え、これらはそれぞれ、両耳補聴器が意図されるように使用される場合、ユーザ２の左耳又は右耳に装着することができる。第１のローカルユニット１２又は第２のローカルユニット１４は、周囲からの各入力サウンド信号から第１の入力信号２０又は第２の入力信号２２を生成する第１の入力トランスデューサ１６又は第２の入力トランスデューサ１８を有する。第１の入力トランスデューサ１６及び第２の入力トランスデューサ１８はそれぞれ、本事例ではマイクロホンにより提供される。必要な場合、更なる入力信号２３を生成する更なる入力トランスデューサ１９を提供することもできる。
【００２７】
０度から始まって両方向で１５度のステップでユーザ２の前脳をカバーする複数の中央角度αｊについて、第１のフィルタパラメータＦ１（αｊ）及び第２のフィルタパラメータＦ２（αｊ）はここでそれぞれ、２つの条件Ｂ１、Ｂ２に基づいて定義される。第１のフィルタパラメータＦ１（αｊ）及び第２のフィルタパラメータＦ２（αｊ）は、この場合、まだ説明されていない様式で第１の入力信号２０又は第２の入力信号２２との畳み込みによりノッチ形感度特性２４を形成するような性質のものである。したがって、第１の入力信号２０及び第２の入力信号２２はそれぞれ、第１のフィルタパラメータＦ１（αｊ）又は第２のフィルタパラメータＦ２（αｊ）を使用してフィルタリングされ、次に、その結果生成される信号の和は、信号源が感度特性２４の中央角度αｊの方向にある信号成分の場合、信号源が別の方向にある信号の場合よりもはるかに低い感度を有する。説明したフィルタリングから生じる信号２６の場合、音響特性変数２８はここで、規定の時間間隔にわたり平均された結果信号２６の信号レベルにより形成される。平均信号レベルから形成された音響特性変数２８は、参照レベル３０を使用して正規化され、このようにして、相対特性変数３２が形成される。本事例では、参照レベル３０は、時間にわたる第１の入力信号１６のレベルの平均値により提供される。代替的には、使用される参照レベル３０は、時間にわたる全体レベルの平均値、すなわち、第１の入力信号１６と第２の入力信号１８との和のレベルであってもよい。したがって、中央角度αｊで形成された相対特性変数３２はここでそれぞれ、互いと比較される。比較３４において、感度特性２４が、最小値を有する相対特性変数３２を有する各中央角度αｊがここで、有用信号源の方向として規定される。
【００２８】
図３は、中央角度αｊ＝−１０度及び規定の拡張分Δを有する方向特性３４の平面図を示す。この場合、方向特性は、中央角度αｊが、最小感度を有する方向により定義される感度特性２４により形成される。「線形条件付き最小変数」方向特性（ＬＣＭＶ）の概念を使用して、中央角度αｊ自体及び更なる角度での信号成分の所与の減衰により、中央角度αｊ及び拡張分Δのそれぞれを定義することができる。本事例では、角度拡張分Δは、中央角度αｊ−１０度では２０ｄＢ減衰する信号レベル及び前方向、すなわち、０度では６ｄＢ減衰する信号レベルにより特定される。これは、信号源が中央角度αｊの領域にある信号に対してはるかに低い感度を有し、したがって、そのような信号を拒絶するノッチ形感度特性２４を定義する。
【００２９】
ここで、例えば、感度特性２４に従って、時間にわたり平均された信号レベルが最初に、信号源が中央角度αｊ＝−１０度の方向にある信号の場合、すなわち、それに従って位置する対話者の場合、図２に示される方法により形成されるとき、前記信号レベルは、全ての角度依存感度特性２４の本信号源の音響特性変数２８として、可能な限り最小の値を有する。このようにして得られる音響特性変数２８はここで、時間にわたり平均された合計レベル又は時間にわたり平均された２つの入力信号２０、２２のうちの一方のレベルを使用して正規化される。これにより、話者、すなわち、有用信号源が中央角度αｊの領域にない場合、全ての寄与は、基本的に音響特性変数２８の減衰なしで、正規化のために捕捉されることになる。有用信号源が中央角度αｊの領域に存在する場合のみ、音響特性変数２８への有用信号の寄与は感度特性２４により実質的に拒絶され、一方、有用信号による正規化への寄与は保持される。その場合、相対特性変数３２の対応する低減により、中央角度αｊの方向での有用信号源の存在を安全に推測することができる。
【００３０】
図４は、時間軸ｔにわたり３つの異なる中央角度での相対特性変数３２ａ〜３２ｃを示し、前記特性変数は図２に示される補聴状況１、１’に割り当てることが可能である。概ね４．５秒の時間まで、ユーザ２は第１の対話者６とのみ会話している。その結果として、−３０度（３２ａ）、−４５度（３２ｂ）、及び−６０度（３２ｃ）の中央角度を有する感度特性で期待の様式で形成される相対特性変数３２ａ〜３２ｃは、対応する角度範囲に有用信号源の存在を論理的に確認しない。概ね４．５秒において、補聴状況１から補聴状況１’への遷移がここで生じ、第２の対話者８が加わり、そうするに当たり、サウンド信号として上述したプロセスにここで入る会話に寄与する。第２の対話者８及び第１の対話者６の更なる存在による会話への寄与は、正規化がまず、示される３つの相対特性変数３２ａ〜３２ｃのそれぞれで変化することを意味する。第２の対話者８の寄与の最も目立つ減衰は、予期されるように、−４５度の中央角度を有する感度特性により生じ、それにより、相対特性変数３２ｂもそれに従って、最小値をとる。他の２つの中央角度−３０度及び−６０度では、対応する感度特性は、第２の対話者８の音声活動の特定の減衰がなお生じることを意味する。しかし、この減衰はもはや、−４５度での感度特性の場合ほどは目立たない。したがって、値の降下を相対特性変数３２ａ及び３２ｃにおいて見ることができるが、−４５度（３２ｂ）からの低減には接近しない。これから、ここで、−４５度の角度における概ね４．５秒での第２の対話者８の参加を推測することが可能である。
【００３１】
本発明を好ましい例示的な実施形態によりより詳細に示し、説明したが、本発明はこの例示的な実施形態により限定されない。本発明の保護範囲から逸脱せずに、当業者により他の変形を導出することができる。
【符号の説明】
【００３２】
１  補聴状況
２  ユーザ
４  音響システム
６  第１の対話者
８  第２の対話者
１０  方法
１２  第１のローカルユニット
１４  第２のローカルユニット
１６  第１の入力トランスデューサ
１８  第２の入力トランスデューサ
１９  更なる入力トランスデューサ
２０  第１の入力信号
２２  第２の入力信号
２３  更なる入力信号
２４  感度特性
２６  結果信号
２８  音響特性変数
３０  参照レベル
３２  相対特性変数
３２ａ〜ｃ  相対特性変数
３４  方向特性
Ｂ１、Ｂ２  条件
Ｆ１  第１のフィルタパラメータ
Ｆ２  第２のフィルタパラメータ
αｊ  中央角度
Δ  拡張分
【図１】
2018098797.tif 000003
【図２】
2018098797.tif 000004
【図３】
2018098797.tif 000005
【図４】
2018098797.tif 000006